(57)【要約】【課題】コードシンボルを再撮像する場合に、コードデータの読取成功率を向上する。【解決手段】画像判定部５２は、画像取込部５１が取り込んだ画像が、バーコードを画像解析するために十分なコントラストや解像度を有するか等、画質の条件を満たしているか否か判定する。画質の条件が満たされていない場合に、報知部５５は、条件の阻害原因または撮像の改善方法を店員用ディスプレイ２４に表示して報知する。画質の条件を満たしている場合には、コードデータ読取部５３はバーコードの画像からコードデータを読み取る。コードデータ判定部５４は、コードデータがコードデータとしての所定の条件を満たしているか否か判定する。条件が満たされていない場合に、報知部５５は、条件の阻害原因または撮像の改善方法を店員用ディスプレイ２４に表示して報知する。【選択図】図２
2011186950.tif 000002
【特許請求の範囲】
【請求項１】
撮像手段が撮像した画像を取り込む画像取込手段と、
前記画像取込手段が取り込んだ画像が、コードシンボルからコードデータを抽出する条件を満たしているか否か判定する判定手段と、
前記判定手段が、前記条件を満たしていないと判定した場合に、前記条件を阻害した原因または前記撮像の改善方法を報知する報知手段と、
を備えたことを特徴とするコード読取装置。
【請求項２】
前記コードシンボルの画像としての条件が満たされた場合に、前記コードシンボルの画像から前記コードデータを読み取るコードデータ読取手段をさらに備え、
前記判定手段は、前記コードデータ読取手段が読み取った前記コードデータが、コードデータとしての条件を満たしているか判定すること、
を特徴とする請求項１に記載のコード読取装置。
【請求項３】
前記判定手段は、前記コードデータ読取手段が読み取った前記コードデータの桁数が予め定められた桁数だけあるか否か判定し、
前記報知手段は、前記判定手段が否と判定した場合に、前記コードシンボルの画像の一部が撮像されていない旨を報知すること、
を特徴とする請求項２に記載のコード読取装置。
【請求項４】
前記判定手段は、前記コードデータ読取手段が読み取った前記コードデータのチェックデジットを計算し、計算した前記チェックデジットが前記コードデータに設定されたチェックデジットと一致するか否か判定すること、
を特徴とする請求項２または３に記載のコード読取装置。
【請求項５】
前記判定手段は、前記画像取込手段が取り込んだ前記画像が、予め定められた画質の条件を満たしているか否か判定すること、
を特徴とする請求項１ないし４のいずれか１つに記載のコード読取装置。
【請求項６】
コンピュータを、
撮像手段が撮像した画像を取り込む画像取込手段と、
前記画像取込手段が取り込んだ画像が、コードシンボルからコードデータを抽出する条件を満たしているか否か判定する判定手段と、
前記判定手段が、前記条件を満たしていないと判定した場合に、前記条件を阻害した原因または前記撮像の改善方法を報知する報知手段と、
して機能させるためのプログラム。
【発明の詳細な説明】
【技術分野】
【０００１】
本発明は、コード読取装置およびプログラムに関する。
【背景技術】
【０００２】
従来、スーパーマーケット等では、商品に貼付されたバーコード等のコードシンボルをＣＣＤカメラ等のイメージセンサによって撮像し、撮像した画像からバーコードのコードデータを読み取るコード読取装置が用いられている。
【０００３】
特許文献１では、ＣＣＤカメラで撮像したラベルイメージをデコードするハンディタイプのスキャナに関する技術が開示されている。このようなハンディタイプのスキャナに対して、スーパーマーケット等のカウンターに立設される縦型タイプのスキャナでは、オペレータは両手を用いて商品を取り扱うことができ、ハンドスキャナでバーコードを読み取るよりも作業効率を上げることができる。
【発明の概要】
【発明が解決しようとする課題】
【０００４】
しかしながら、上述のような縦型スキャナでは、オペレータは商品を移動させながらバーコードをスキャンするので、撮像のタイミングや状況によっては、きれいな画像が得られない事態や、バーコードの一部が読み取れない事態が生じる。
【０００５】
このような場合にオペレータは商品のバーコードを再撮像するが、コードデータを読み取れない原因が分からない場合には、再撮像時にもバーコードの読取に失敗することもあり、繰り返しバーコードをスキャンしなければならないという問題があった。
【０００６】
本発明は、上記に鑑みてなされたものであって、コードシンボルを再撮像する場合に、コードデータの読取成功率を向上することができるコード読取装置およびプログラムを提供することを目的とする。
【課題を解決するための手段】
【０００７】
上述した課題を解決し、目的を達成するために、本発明のコード読取装置は、撮像手段が撮像した画像を取り込む画像取込手段と、前記画像取込手段が取り込んだ画像が、コードシンボルからコードデータを抽出する条件を満たしているか否か判定する判定手段と、前記判定手段が、前記条件を満たしていないと判定した場合に、前記条件を阻害した原因または前記撮像の改善方法を報知する報知手段と、を備えたことを特徴とする。
【０００８】
また、本発明のプログラムは、コンピュータを、撮像手段が撮像した画像を取り込む画像取込手段と、前記画像取込手段が取り込んだ画像が、コードシンボルからコードデータを抽出する条件を満たしているか否か判定する判定手段と、前記判定手段が、前記条件を満たしていないと判定した場合に、前記条件を阻害した原因または前記撮像の改善方法を報知する報知手段と、して機能させることを特徴とする。
【発明の効果】
【０００９】
本発明によれば、コードシンボルからコードデータを抽出する条件を満たしていない場合に、その条件を阻害した原因または撮像の改善方法を報知するため、オペレータは、阻害原因または改善方法を参考にしてコードシンボルを再撮像することが可能となり、コードシンボルを再撮像する場合に、コードデータの読取成功率を向上することができるという効果を奏する。
【図面の簡単な説明】
【００１０】
【図１】図１は、本発明の実施の一形態にかかるコード読取装置を用いたチェックアウトレーンシステムの構成を概略的に示す外観斜視図である。
【図２】図２は、コード読取装置の構成を示すブロック図である。
【図３】図３は、商品に貼付されたバーコードラベルの一例を示す図である。
【図４】図４は、撮像した画像を示す図である。
【図５】図５は、商品とカメラとの位置関係を示す配置図である。
【図６】図６は、商品とカメラとの別の位置関係を示す配置図である。
【図７】図７は、カメラに対して傾いた状態の商品を示す図である。
【図８】図８は、商品とカメラとの別の位置関係を示す配置図である。
【図９】図９は、カメラから離れている場合の商品を示す図である。
【図１０】図１０は、店員用ディスプレイに表示されるメッセージの一例を示す図である。
【図１１】図１１は、店員用ディスプレイに表示されるメッセージの一例を示す図である。
【図１２】図１２は、コードデータの一例を示す図である。
【図１３】図１３は、コードデータの一部が読み取れない場合を説明する図である。
【図１４】図１４は、コードデータの一部が読み取れない場合のその他の例を示す図である。
【図１５】図１５は、店員用ディスプレイに表示されるメッセージの一例を示す図である。
【図１６】図１６は、店員用ディスプレイに表示されるメッセージの一例を示す図である。
【図１７】図１７は、コード読取装置が実行するバーコード読取処理の手順を示すフローチャートである。
【発明を実施するための形態】
【００１１】
以下に添付図面を参照して、この発明にかかるコード読取装置およびプログラムの最良な実施の形態を詳細に説明する。
【００１２】
図１は、本発明の実施の一形態にかかるコード読取装置２を備えたチェックアウトレーンシステム４の構成を概略的に示す斜視図である。図１に示すように、チェックアウトレーンシステム４は、商品を入れた買い物かごを戴置するためのサッカー台１と、サッカー台１の略中央に立設されたコード読取装置２と、コード読取装置２と図示しない伝送路によって相互通信可能に接続されたＰＯＳ端末３とを備えている。
【００１３】
ＰＯＳ端末３は、客が購入する商品の販売登録を行うものである。図１に示すように、ＰＯＳ端末３には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３は、この種のチェックアウトレーンシステムで標準的に使用されているＰＯＳ端末と同様の構成と機能とを備えている。
【００１４】
コード読取装置２は、商品に貼付されたバーコードを読み取って、バーコードが含むコードデータをＰＯＳ端末３に出力するための装置である。図１に示すように、コード読取装置２は、読取窓２１と、キーボード２２と、客用ディスプレイ２３と、店員用ディスプレイ２４と、表示ＬＥＤ２６と、ブザー２５とを主に備えている。
【００１５】
キーボード２２は、バーコードで登録不能な商品の登録を行う場合に、各種キーによる入力を受付ける。客用ディスプレイ２３は、登録された商品の品名や価格等を買い物客に対して表示する。
【００１６】
店員用ディスプレイ２４は、登録された商品の品名や価格等を店員に対して表示する。また、店員用ディスプレイ２４は、読み取られたバーコードがバーコードの画像としての予め定められた所定の条件を満たしていない場合に、その条件を阻害する原因または撮像の改善方法を表示してオペレータに報知する。
【００１７】
表示ＬＥＤ２６は、商品に貼付されたバーコードが読み取られた場合に点灯して、バーコードが読み取られていることをオペレータに報知する。
【００１８】
ブザー２５は、読み取られたバーコードがバーコードの画像としての予め定められた所定の条件を満たしていない場合に、ブザー音を鳴らしてオペレータに報知する。
【００１９】
読取窓２１が設けられたコード読取装置２の内部には、ＣＣＤ（Charge  Coupled  Device）カメラ２０（図２参照）が設けられている。
【００２０】
図２は、コード読取装置２の構成を示すブロック図である。コード読取装置２は、ＣＰＵ５０と、ＲＯＭ４２と、ＲＡＭ４３と、通信Ｉ／Ｆ４４と、出力ポート４５と、キーボードコントローラ４６と、表示コントローラ４７、４８と、カメラコントローラ４９とを主に備えており、これらをアドレスバス、データバスなどのバスライン４１で接続して構成されている。
【００２１】
ＣＰＵ５０は、コード読取装置２の動作全体を制御する制御部として機能する。ＲＯＭ４２は、本実施の形態にかかるプログラムや、ＣＰＵ５０の動作を制御するその他のプログラム等を記憶している。ＲＡＭ４３は、ＣＰＵ５０がＲＯＭ４２が記憶する各種プログラムを展開する際にワークエリアとして機能するものである。また、ＲＡＭ４３は、カメラ２０が撮像した画像データなどの各種データを格納する。
【００２２】
通信Ｉ／Ｆ４４は、バスを介して接続されたＰＯＳ端末３（図１参照）とのデータ通信を制御する。出力ポート４５は、ブザー２５と表示ＬＥＤ２６に駆動信号を出力する。キーボードコントローラ４６は、キーボード２２からキー信号を取り込む。表示コントローラ４７は、客用ディスプレイ２３に対するデータ表示を制御する。表示コントローラ４８は、店員用ディスプレイ２４に対するデータ表示を制御する。カメラコントローラ４９は、カメラ２０の撮像動作を制御する。カメラ２０は、商品に付されたバーコードまたは二次元コード等のコードシンボルを撮像する。
【００２３】
ＣＰＵ５０は、ＲＡＭ４３に展開されたＲＯＭ４２が記憶するプログラムに従って動作することで、図２に示すように、画像取込部５１と、画像判定部５２と、コードデータ読取部５３と、コードデータ判定部５４と、報知部５５と、情報出力部５６として機能する。
【００２４】
次に、商品に貼付されたバーコードラベルについて一例を挙げて説明する。図３は、商品６０に貼付されたバーコードラベル６１の一例を示す図である。バーコードラベル６１には、商品名「豚バラうす切り」や、商品価格「２００円」や、バーコード６２等が表示されている。バーコード６２には、商品６０についてＰＯＳ端末３で販売登録するために必要な商品情報として、メーカーコードや商品コード等のコードデータが組み込まれている。また、バーコード６２の下部には、バーコード６２が組み込んでいるコードデータ「２１０１２３４５６７８９０」が数字で表示されている。また、図３において２点鎖線で囲った領域は、カメラ２０が１フレームで撮像できる領域である撮像エリア７０である。
【００２５】
画像取込部５１は、カメラ２０が撮像した撮像エリア７０内の画像Ｄ（図４参照）をＲＡＭ４３の画像ワークエリアに取り込む。
【００２６】
ここで、バーコードの画像解析に必要とされる画質を得るための、商品６０とカメラ２０との位置関係について説明する。
【００２７】
図５は、バーコードの画像解析に必要とされる画質を得ることのできる、商品６０とカメラ２０との位置関係を示す配置図である。図中Ｌは、カメラ２０によって、バーコード６２の画像を予め定めた所定のサイズより大きく撮像できる限界の距離である。図５においてオペレータは、商品６０と読取窓２１との距離が距離Ｌより近い位置において、商品６０のラベル貼付面Ａを読取窓２１に正対させて、商品６０をカメラ２０にかざしている。この場合、カメラ２０は図３に示すように商品６０を撮像して、図４に示すように、バーコードを画像解析するために十分なコントラストや解像度、明暗度の画像Ｄを取り込むことができる。
【００２８】
一方、図６は、バーコードの画像解析に必要とされる画質を得られない場合の、商品６０とカメラ２０との位置関係の一例を示す配置図である。図６においてオペレータは、商品６０のラベル貼付面Ａを読取窓２１に対して地面側に傾けた状態で、商品６０をカメラ２０にかざしている。この場合には、図７に示すように、商品６０のラベル貼付面Ａに当たる照明は暗くなる。従って、撮像エリア７０の画像Ｄでは、画像全体の明暗度が低くなり、コントラストが低下することとなる。尚、ラベル貼付面Ａを天井側に傾けすぎた場合には、画像全体の明暗度が高くなり、コントラストは低下する。
【００２９】
また、図８は、バーコードの画像解析に必要とされる画質を得られない場合の、商品６０とカメラ２０との位置関係のその他の例を示す配置図である。図８においてオペレータは、商品６０と読取窓２１との距離を距離Ｌより離れた位置で、商品６０をカメラ２０にかざしている。この場合、撮像エリア７０が捉えるバーコードラベル６１の画像サイズは、図９に示すように小さくなる。従って、画像エリア７０の画像Ｄは解像度が低下することとなる。また、商品６０が読取窓２１に対して接近しすぎた場合には、ラベル貼付面Ａに照明が当たらず画像Ｄのコントラストおよび解像度は低下し、画像全体の明暗度は低くなる。
【００３０】
画像判定部５２は、画像取込部５１が取り込んだ画像Ｄが、予め定められた所定の画質の条件を満たしているか否か判定する。本実施の形態のプログラムまたはＲＡＭ４３は、所定の画質の条件として、例えば、コントラストの許容範囲や、画像全体の明暗度の許容範囲や、解像度の許容範囲、バーコード６２の画像サイズの許容範囲などの条件を格納している。画像判定部５２は、取り込んだ画像Ｄの各画質と、上述の条件とをそれぞれ比較して、全ての条件が満たされているか判定する。
【００３１】
また、画像判定部５２は、上述の所定の画質の条件のうち少なくとも１つの条件が満たされていない場合に、その条件を阻害した原因を判定する。
【００３２】
一例として、画像判定部５２は、画像全体の明暗度が所定の許容範囲より低く、かつ、コントラストが所定の許容範囲より低い場合には、ラベル貼付面Ａが地面側に傾いていると判定する。また、画像判定部５２は、画像全体の明暗度が所定の許容範囲より高く、かつ、コントラストが所定の許容範囲より低い場合には、ラベル貼付面Ａが天井側に傾いていると判定する。
【００３３】
また、画像判定部５２は、撮像エリア７０においてバーコードラベル６１の画像サイズが所定の許容範囲より小さい場合には、商品６０がカメラ２０から離れていると判定する。
【００３４】
報知部５５は、画像判定部５２が上述のように判定した阻害原因または撮像の改善方法を店員用ディスプレイ２４に表示して、オペレータに報知する。
【００３５】
例えば、報知部５５は、上述のように、ラベル貼付面Ａが地面側に傾いていると判定した場合には、ブザー２５を鳴らすとともに、表示コントローラ４８を制御して、店員用ディスプレイ２４に「バーコード貼付面が下向きに傾いています。バーコードをカメラに正対させて下さい。」（図１０参照）と表示する。
【００３６】
また、報知部５５は、上述のように、商品６０がカメラ２０から離れていると判定した場合には、ブザー２５を鳴らすとともに、表示コントローラ４８を制御して、店員用ディスプレイ２４に「商品が遠いです。商品をカメラに近づけてください。」（図１１参照）と表示する。
【００３７】
コードデータ読取部５３は、画像判定部５２が上述の所定の画質の条件を満たしていると判定した場合に、バーコード６２の画像Ｄ（図４参照）から、バーコード６２が含むコードデータを読み取る。より詳細には、コードデータ読取部５３は、ＲＡＭ４３の画像ワークエリアに格納された１フレームの画像Ｄを２値化し、２値化したデータからバーコード６２に関するデータ領域を検出する。コードデータ読取部５３は、検出したデータ領域に対して、バーコード６２をデコードしてコードデータを読み取る。
【００３８】
図１２は、コードデータＣ１の一例を説明する図である。図１２に示すように、コードデータＣ１は、メーカーコードＪ１〜Ｊ９と、商品情報としての商品アイテムコードＪ１０〜Ｊ１２と、チェックデジットＪ１３とを含んでいる。コードデータ読取部５３は、読み取ったコードデータＣ１をＲＡＭ４３のバーコードワークエリアに格納する。
【００３９】
コードデータ判定部５４は、コードデータ読取部５３が読み取ったコードデータＣ１が、予め定められたコードデータとしての所定の条件を満たしているか判定する。
【００４０】
すなわち、コードデータ判定部５４は、コードデータＣ１が所定の桁数（図１２では１３桁）を保有しているか否か判定する。また、コードデータ判定部５４は、メーカーコードＪ１〜Ｊ９と、商品アイテムコードＪ１０〜Ｊ１２を用いてチェックデジットを計算し、計算結果がチェックデジットＪ１３と一致するか否か判定する。
【００４１】
次に、コードデータとしての所定の条件を阻害する原因について、図１３および図１４を参照して説明する。
【００４２】
図１３に示すように、オペレータがバーコード６２を撮像エリア７０内に納めずに商品６０をスキャンした場合には、バーコード６２の一部が撮像されない。従って、コードデータ読取部５３が読み取ったコードデータＣ１の一部は桁落ちしてしまい、例えばＪ１〜Ｊ１３の１３桁のうちＪ１〜Ｊ３のデータが得られない事態が生じる。
【００４３】
また、図１４に示すように、オペレータがバーコード６２上を掴んで商品６０をスキャンした場合には、バーコード６２の一部が指で隠れてしまう。従ってこの場合にも、コードデータ読取部５３が読み取ったコードデータＣ１の一部は読み取れない。
【００４４】
また、バーコード６２が汚れていたり、商品の包装がよれていたりして、コードデータ読取部５３がコードデータＣ１のＪ１〜Ｊ１３のそれぞれを正しく読み取れなかった場合には、Ｊ１〜Ｊ１２を用いて計算したチェックデジットがＪ１３の値と一致しない。
【００４５】
コードデータ判定部５４は、コードデータとしての所定の条件が少なくとも１つ満たされていない場合、すなわち桁落ちしている場合やチェックデジットが一致しない場合に、その条件を阻害した原因を判定する。
【００４６】
すなわち、コードデータ判定部５４は、コードデータＣ１が桁落ちしている場合に、バーコード６２の一部が撮像されていないと判定する。また、コードデータ判定部５４は、チェックデジットが一致しない場合に、バーコード６２が正しく読み取れていないと判定する。
【００４７】
上述のように、画像判定部５２およびコードデータ判定部５４は、画像取込部５１が取り込んだ画像Ｄが、コードシンボルからコードデータを抽出する所定の条件を満たしているか否か判定する判定手段として機能する。
【００４８】
報知部５５は、コードデータ判定部５４が上述のように判定した阻害原因または撮像の改善方法を店員用ディスプレイ２４に表示して、オペレータに報知する。
【００４９】
例えば、報知部５５は、上述のように、コードデータＣ１が桁落ちしている場合に、ブザー２５を鳴らすとともに、表示コントローラ４８を制御して、店員用ディスプレイ２４に「バーコードの一部が撮影されていません。バーコードすべてが撮影されるようにスキャンして下さい。」（図１５参照）と表示する。
【００５０】
また、報知部５５は、上述のように、コードデータＣ１のチェックデジットが一致しない場合には、ブザー２５を鳴らすとともに、表示コントローラ４８を制御して、店員用ディスプレイ２４に「バーコードが正しく読み取れません。汚れを取り除くか、包装のしわをのばしてスキャンして下さい。」（図１６参照）と表示する。
【００５１】
情報出力部５６は、コードデータ読取部５３が読み取ったコードデータＣ１を、通信Ｉ／Ｆ４４を介してＰＯＳ端末３に出力する。ＰＯＳ端末３は、受信したコードデータＣ１を用いて商品の販売登録を行う。
【００５２】
次に、コード読取装置２が行う商品の販売登録処理について図１７を用いて説明する。図１７は、コード読取装置２が行う情報出力処理の手順を示したフローチャートである。
【００５３】
ＰＯＳ端末３からスキャン開始の指示を受信すると、画像取込部５１は、カメラコントローラ４９に撮像オン信号を出力して、カメラ２０による撮像を開始する（ステップＳ１）。
【００５４】
画像取込部５１は、カメラ２０が撮像した画像ＤをＲＡＭ４３の画像ワークエリアに取り込む（ステップＳ２）。そして、画像判定部５２は、ステップＳ２で取り込んだ画像Ｄが、予め定められた所定の解像度やコントラストなどの画質の条件をすべて満たしているか否か判定する（ステップＳ３）。
【００５５】
少なくとも１つの条件が満たされない場合（ステップＳ３：Ｎｏ）に、報知部５５はブザー２５を鳴らすとともに、その条件の阻害原因または撮像の改善方法を店員用ディスプレイ２４に表示して、オペレータに報知する（ステップＳ９）。その後はステップＳ２に戻り、オペレータは店員用ディスプレイ２４に表示されたメッセージを参考にして再度バーコード６２をスキャンする（ステップＳ２）。
【００５６】
画質の全ての条件を満たしている場合（ステップＳ３：Ｙｅｓ）には、コードデータ読取部５３が、画像Ｄからバーコード６２が含むコードデータＣ１を読み取る（ステップＳ４）。
【００５７】
そして、コードデータ判定部５４は、ステップＳ４で読み取ったコードデータＣ１が、予め定められたコードデータとしての所定の条件をすべて満たしているか判定する（ステップＳ５）。
【００５８】
少なくとも１つの条件が満たされない場合（ステップＳ５：Ｎｏ）に、報知部５５はブザー２５を鳴らすとともに、その条件の阻害原因または撮像の改善方法を店員用ディスプレイ２４に表示して、オペレータに報知する（ステップＳ１０）。その後はステップＳ２に戻り、オペレータは店員用ディスプレイ２４に表示されたメッセージを参考にして再度バーコード６２をスキャンする（ステップＳ２）。
【００５９】
コードデータとしての所定の条件を全て満たしている場合（ステップＳ５：Ｙｅｓ）には、情報出力部５６は、コードデータＣ１を通信Ｉ／Ｆ４４を介してＰＯＳ端末３に出力する（ステップＳ６）。
【００６０】
コード読取装置２は、ＰＯＳ端末３から販売登録処理が終了してバーコード読取処理終了を指令されたか判断する（ステップＳ７）。バーコード読取処理の終了が指令されていない場合（ステップＳ７：Ｎｏ）に、コード読取装置２は、ステップＳ２に戻ってステップＳ２以降の処理を続ける。バーコード読取処理の終了が指令された場合（ステップＳ７：Ｙｅｓ）に、コード読取装置２は、カメラコントローラ４９に撮像オフ信号を出力し（ステップＳ８）、カメラ２０による撮像を終了する。
【００６１】
上述のように、本実施の形態のコード読取装置２は、コードシンボルの画像としての所定の条件を満たしていない場合に、満たしていない条件を阻害する原因または撮像の改善方法を店員用ディスプレイ２４に表示してオペレータに報知する。これにより、オペレータは、表示されたメッセージを参考にしてバーコード６２を再スキャンすることができるので、コードシンボルを再撮像する場合に、コードデータの読取成功率を向上することができる。
【００６２】
尚、上述では、報知部５５は店員用ディスプレイ２４を用いて報知するとしたが、報知方法はこれに限定されるものではない。その他の例として、コード読取装置２がスピーカおよびスピーカコントローラを備えて、音声によって上述の阻害原因または撮像の改善方法などをオペレータに報知するとしてもよい。
【００６３】
また、上述では、コード読取装置２がコードシンボルの画像の条件について判定し、条件を阻害する原因または撮像の改善方法を報知するとしたが、これに限定されるものではない。例えば、ＰＯＳ端末３が、上述の画像判定部５２、コードデータ判定部５４、報知部５５などを備えて、上述と同様にコードシンボルの画像の条件を満たしているか判定し、少なくとも１つの条件を満たしていない場合に、ＰＯＳ端末３のオペレータ用の表示器３２に上述と同様のメッセージを表示して報知するとしてもよい。
【産業上の利用可能性】
【００６４】
以上のように、本発明にかかるコード読取装置は、スーパーマーケットや量販店で用いられるＰＯＳ端末用のコード読取装置やバーコードリーダに有用であり、特に、縦型スキャナに適している。
【符号の説明】
【００６５】
１  サッカー台
２  コード読取装置
３  ＰＯＳ端末
４  チェックアウトレーンシステム
２０  カメラ
２１  読取窓
２４  店員用ディスプレイ
２５  ブザー
２６  表示ＬＥＤ
６０  商品
７０  撮像エリア
Ｄ  画像
Ｃ１  コードデータ
【先行技術文献】
【特許文献】
【００６６】
【特許文献１】特表平１０−５０１３６０号公報
【図１】
2011186950.tif 000003
【図２】
2011186950.tif 000004
【図３】
2011186950.tif 000005
【図４】
2011186950.tif 000006
【図５】
2011186950.tif 000007
【図６】
2011186950.tif 000008
【図７】
2011186950.tif 000009
【図８】
2011186950.tif 000010
【図９】
2011186950.tif 000011
【図１０】
2011186950.tif 000012
【図１１】
2011186950.tif 000013
【図１２】
2011186950.tif 000014
【図１３】
2011186950.tif 000015
【図１４】
2011186950.tif 000016
【図１５】
2011186950.tif 000017
【図１６】
2011186950.tif 000018
【図１７】
2011186950.tif 000019